(57)【要約】【課題】非接触型ＩＣカード機能用アンテナの位置及び向きによらず、通信不可領域の発生を抑制して非接触型ＩＣカード機能による通信を行う携帯端末装置を得る。【解決手段】非接触型ＩＣカード用リーダ・ライタに備えられているアンテナコイルのインピーダンスを変化させる非励振の共振回路を成す共振コイル７，８を、スライド式の携帯端末装置１の下側筐体３に配置されている非接触型ＩＣカード機能用アンテナ１０から離して、上側筐体２の操作ボタン部６，ＬＣＤ部４の近傍となる上側筐体２の内部に配置する。【選択図】図１
2008022469.tif 000002
【特許請求の範囲】
【請求項１】
非接触型ＩＣカード機能を有する携帯端末装置において、
非接触型ＩＣカード用リーダ・ライタに備えられているアンテナコイルのインピーダンスを変化させる非励振の共振回路を成す共振コイルを当該非接触型ＩＣカード機能用アンテナから離れた部位に備えることを特徴とする携帯端末装置。
【請求項２】
共振コイルは、リーダ・ライタのアンテナコイルが検出するＯＮを示すインピーダンスとＯＦＦを示すインピーダンスとが同一にならないように当該アンテナコイルのインピーダンス周波数特性を変化させる共振特性を有することを特徴とする請求項１記載の携帯端末装置。
【請求項３】
共振コイルは、コンデンサと並列接続して非接触型ＩＣカード機能に使用する回路から独立している共振回路を成すことを特徴とする請求項１または請求項２記載の携帯端末装置。
【請求項４】
共振コイルを、装置筐体の非接触型ＩＣカード機能用アンテナを配置した部位の背面側となる部位に配置することを特徴とする請求項１記載の携帯端末装置。
【請求項５】
共振コイルを、表示画面を備える上側筐体と非接触型ＩＣカード機能用アンテナを備える下側筐体とをスライドさせるスライド式携帯端末装置の上側筐体に配置することを特徴とする請求項４記載の携帯端末装置。
【請求項６】
共振コイルを、表示画面を備える上側筐体と非接触型ＩＣカード機能用アンテナを備える下側筐体とをヒンジ部で折り畳んで重ね合わせる折り畳み式携帯端末装置の上側筐体の外面側に配置することを特徴とする請求項４記載の携帯端末装置。
【請求項７】
共振コイルを、非接触型ＩＣカード機能用アンテナを備える筐体の底面近傍に配置することを特徴とする請求項１記載の携帯端末装置。
【発明の詳細な説明】
【技術分野】
【０００１】
この発明は、非接触型ＩＣカードとしての機能を備えた携帯端末装置に関するものである。
【背景技術】
【０００２】
非接触型ＩＣカードの機能を備えた携帯端末装置は、非接触型ＩＣカードとして動作するとき、例えば１０ｃｍ程度の距離で非接触型ＩＣカード用のリーダ・ライタと通信を行う。この非接触型ＩＣカード機能による通信は、携帯端末装置に搭載されたアンテナコイルと、例えば改札機等のリーダ・ライタに備えられたアンテナコイルとの電磁結合、即ち電波を用いたデータ通信によって行われる。通常、携帯端末装置には、任意の筐体面において平面的に上記の非接触型ＩＣカード機能で使用するアンテナコイルが備えられている。
リーダ・ライタとの通信は、アンテナコイルが配置されている側の携帯端末装置の表面を当該リーダ・ライタへ向けて行い、電池カバーの表面と同一面上に非接触ＩＣカード機能で用いるアンテナコイルを備えた携帯端末装置を使用するときには、例えば自動改札機を通過するとき、改札機に設けられているタッチ部位に携帯端末装置の電池カバー表面を接近させ、所定のデータ通信を行って改札／料金の精算処理を行っている。
【０００３】
例えば、折り畳み式の携帯端末装置において、液晶ディスプレイを備えた上側筐体に非接触型コイルアンテナを固定したものがある。これは、上側筐体の内部に備えられているフレキシブル基板に、ＩＣカードのリーダ・ライタと通信を行うＩＣインタフェース用非接触型コイルアンテナを固定し、このＩＣインタフェース用非接触型コイルアンテナを軟磁性体電波吸収体で適当に覆って他の通信などを行う電子機器との電磁結合を防いでいる（例えば、特許文献１参照）。
また、低誘電率の誘電体基板と誘電性金属からなるグラウンド板とを積層させ、この積層体の両表面にそれぞれ指向性を有するアンテナを備えたカード型送受信機がある。積層体に備えられた各アンテナは、いずれも結合器を介して逓倍回路および電源整流回路、または変調回路にそれぞれ接続されている（例えば、特許文献２参照）。
【０００４】
【特許文献１】特開２００４−１５３４６３号公報（第３，４頁、図１，図２）
【特許文献２】特開平２−６５５２９号公報（第３頁、第１〜３図）
【発明の開示】
【発明が解決しようとする課題】
【０００５】
従来の非接触型ＩＣカード機能を備えた携帯端末装置は以上のように構成されているので、携帯端末装置の筐体において非接触型ＩＣカード機能用のアンテナコイルを配置していない部分をリーダ・ライタへ向けると、携帯端末装置を構成している金属部材等が上記のリーダ・ライタのアンテナコイルに接近し、当該アンテナコイルのインピーダンスが変化して非接触型ＩＣカード機能による通信が不能になる通信不可領域、いわゆるコミュニケーションホールが発生することがある。従って非接触型ＩＣカード機能用アンテナコイルが備えられていない、例えば液晶ディスプレイの設置されている部位をリーダ・ライタ等に近付けると、非接触型ＩＣカード機能の精算処理等に不具合が生じる可能性が高くなる。また、通信不可領域の発生を防ぐため、複数の非接触型ＩＣカード機能用アンテナコイルを適切に配置して非接触型ＩＣカード機能の処理を行う回路に接続すると、回路構成ならびに各アンテナコイルを設置する筐体の構成が複雑になるという課題があった。
【０００６】
この発明は上記のような課題を解決するためになされたもので、非接触型ＩＣカード機能用アンテナの位置及び向きによらず通信不可領域の発生を抑制して非接触型ＩＣカード機能による通信を行う携帯端末装置を得ることを目的とする。
【課題を解決するための手段】
【０００７】
この発明に係る携帯端末装置は、非接触型ＩＣカード用リーダ・ライタに備えられているアンテナコイルのインピーダンスを変化させる非励振の共振回路を成す共振コイルを当該非接触型ＩＣカード機能用アンテナから離れた部位に備えるものである。
【発明の効果】
【０００８】
この発明によれば、非接触型ＩＣカード用リーダ・ライタに備えられているアンテナコイルのインピーダンスを変化させる非励振の共振回路を成す共振コイルを当該非接触型ＩＣカード機能用アンテナから離れた部位に備えるようにしたので、簡易な構成で通信不可領域の発生を抑制して非接触型ＩＣカード機能による通信の信頼性を向上させることができるという効果がある。
【発明を実施するための最良の形態】
【０００９】
以下、この発明の実施の一形態を説明する。
実施の形態１．
図１は、この発明の実施の形態１による携帯端末装置の外観を示す説明図である。この図は、スライド式の携帯端末装置１の概略外観を示したもので、上側筐体２と下側筐体３とをスライドさせて引き伸ばした状態を表している。また、この図は、例えば液晶ディスプレイ部（以下、ＬＣＤ部と記載する）４を正面視したときの外観と、携帯端末装置１を側方視したときの外観と、バッテリを搭載している電池部９を正面視したときの外観即ち携帯端末装置１の裏面部の外観とを、各部の位置を対応させて示したものである。なお、以下の各実施の形態では、非接触型ＩＣカード機能に関連するアンテナコイルなどについて説明し、通話やインターネット通信などの機能で使用する部分の説明を省略する。
【００１０】
スライド式の携帯端末装置１は、前述のように、画面表示を行うＬＣＤ部４を有する上側筐体２と、数字や文字入力を行う操作ボタン部５を有する下側筐体３とから成る。上側筐体２は、表示画面を当該携帯端末装置１の正面へ向けているＬＣＤ部４の下方、詳しくは携帯端末装置１を引き伸ばした状態で下側筐体３の操作ボタン部５に隣接する部位に、携帯端末装置１の動作を選択または設定する複数の押しボタンから成る操作ボタン部６を備えている。また、例えば上側筐体２の内部には、ＬＣＤ部４の周囲に図中破線で示した非励振コイル７が配置され、操作ボタン部６の周囲に図中破線で示した共振コイル８が配置されている。下側筐体３は、筺体内部において電池部９の周囲に非接触型ＩＣカード機能用アンテナ１０を備える。図中破線で示した非接触型ＩＣカード機能用アンテナ１０は、図示されない非接触型ＩＣカード機能の動作を行う回路基板等へ接続されているもので、例えば電池部９に搭載されているバッテリ等の外周に巻回するように構成／配置されたコイル状のアンテナである。なお、携帯端末装置１は、ここでは図示ならびに説明を省略する通話機能、画像の撮影／表示機能、電子メールの作成／送受信機能などに用いる各構成要素を備えている。また、後述するように非接触型ＩＣカード機能による通信距離を確保するため、携帯端末装置１には共振コイル７あるいは共振コイル８のいずれか一方の共振コイルならびに共振回路が備えられている。
【００１１】
図２は、実施の形態１による携帯端末装置に備えられている非励振共振回路を成す共振コイルの構成を示す説明図である。この図は、図１に例示した携帯通信端末１の共振コイル８の構成を示したもので、操作ボタン部６を構成する複数の押しボタン６ａが実装されるキー基板１１に形成されている共振コイル８を例示したものである。
図１に例示したスライド式の携帯端末装置１は、方向キー等から成る操作ボタン部６がＬＣＤ４の画面下側の部位に配置されているため、操作ボタン部６を構成するキー基板１１に共振コイル８を図２のコイルパターン８ａのようにパターン化して形成させている。コイルパターン８ａは、複数の押しボタン６ａが実装される部位を囲むように、即ち操作ボタン部６の周囲を巻回するようにキー基板１１上に形成される。また、図２には共振コイル８を成すコイルパターン８ａとコイルパターン８ａに並列接続されているコンデンサ８ｂとを示している。コイルパターン８ａとコンデンサ８ｂによって非励振の並列共振回路が構成され、例えばコイルパターン８ａのインダクタンスをＬ、コンデンサ８ｂの容量をＣとしたとき、共振周波数ｆ＝１／（２π√（ＬＣ））で共振し、後述する非接触型ＩＣカード機能の負荷変調に対して作用するように構成されている。なお、コイルパターン８ａに接続されるコンデンサ８ｂは、図２に示したように複数のコンデンサを並列接続したものでもよい。また、図１に示した共振コイル７も、ＬＣＤ部４の表示画面外周に沿って巻回させたコイルのように配置／固定され、上記の共振コイル８と同様に図示されないコンデンサが並列接続されている非励振の並列共振回路を構成している。
【００１２】
図１に例示した携帯端末装置１は、前述のように装置の筐体内部に非接触型ＩＣカード機能用アンテナ１０を備え、当該アンテナを下側筐体３の底面と平行に設置／固定している。また、例えば、非接触型ＩＣカード機能用アンテナ１０に対して共振コイル７，８の巻回部位が平行になるように上側筐体２に設置／固定されている。なお、非接触型ＩＣカード機能用アンテナ１０と共振コイル７，８は、互いに干渉することを避けるため離間して配置される。非接触型ＩＣカード機能用アンテナ１０は、下側筐体３の裏面側に配置され、詳しくは下側筐体３の内部においてバッテリ等が搭載される電池部９に配置され、下側筐体３の当該電池部９の外面部分即ち下側筐体３の底面がリーダ・ライタとの通信面となる。なお、共振コイル７，８の巻回部分の向きや配置は、ここで例示したものに限られず、後述するようなインピーダンス周波数特性が得られるように適当に配置される。
【００１３】
次に動作について説明する。
非接触型ＩＣカード及び非接触型ＩＣカード用のリーダ・ライタには多種多様なものがあり、通信距離や通信エリアが様々である。各リーダ・ライタ及び非接触型ＩＣカードについて良好な通信性能を確保する、即ち通信距離を大きく確保すると共に通信不可領域の発生を抑制する必要があり、上記の非接触型ＩＣカードと同等の機能を有する本発明の携帯端末装置１も上記の通信性能が要求される。
通常、非接触型ＩＣカードによる通信処理は次のように行われる。初めにリーダ・ライタ側からキャリア波が送出される。このキャリア波の通信領域に存在する非接触型ＩＣカードは、自ら備えているアンテナコイルに誘起する誘導電流を検出して、例えばアンテナコイルの終端処理によって予め設定されているデータ等を表すように負荷変調を行う。リーダ・ライタは、非接触型ＩＣカードによる負荷変調を自ら備えるアンテナコイルのインピーダンス変動として検出し、この検出信号を復調することによりデータ通信を行っている。このときの通信距離は、リーダ・ライタに備えられたアンテナコイルと非接触型ＩＣカードのアンテナコイルとの電磁結合の強さ、非接触型ＩＣカードの誘導電流検出能力またはリーダ・ライタの負荷変調検出能力に依存する。但し、電磁結合度が高く非接触型ＩＣカード側において十分な誘導電流が生じるときでも、稀にリーダ・ライタにて負荷変調検出ができない通信不可領域即ちコミュニケーションホールが発生することがある。
【００１４】
前述の通信不可領域は、非接触型ＩＣカードとリーダ・ライタとの電磁結合が強くなるにつれて発生し易くなる。携帯端末装置１とリーダ・ライタの間で非接触型ＩＣカード機能によるデータ通信を行うとき、当該携帯端末装置１に搭載されているバッテリ、装置を構成している各基板等の金属部材及び各アンテナコイル等が、リーダ・ライタ側のアンテナコイルのインピーダンス周波数特性を大きくずらしてしまい、データ通信に用いているキャリア周波数において、リーダ・ライタ側の検出電圧が低下して負荷変調を検出できなくなることがある。特に携帯端末装置１の非接触型ＩＣカード機能用アンテナ１０が配置されていない側の筐体外面をリーダ・ライタに近付けると、上記の金属部材等の影響によって大きな通信不可領域が発生し、携帯端末装置１をリーダ・ライタに近付けても非接触型ＩＣカード機能の処理を行うことができないという不具合が発生する。
【００１５】
図３は、非接触型ＩＣカードとリーダ・ライタとの通信動作を示す説明図である。この図は、縦軸がインピーダンス、横軸が周波数を示し、非接触型ＩＣカードによる負荷変調をリーダ・ライタが検出するときのインピーダンス周波数特性を示したものである。
リーダ・ライタからのキャリア波が届く領域に非接触型ＩＣカードが存在するとき、非接触型ＩＣカードは、自ら備えるアンテナコイルがリーダ・ライタからのキャリア波を反射し、この反射によってリーダ・ライタのアンテナコイルのインピーダンスが図３に示したＯＮレベルとＯＦＦレベルとを繰り返すように変化する。リーダ・ライタは、このインピーダンス変化を検出することによって非接触型ＩＣカードとデータ通信を行っている。
【００１６】
例えば、リーダ・ライタが負荷変調ＯＮとして検出するインピーダンスは図３の曲線Ａのような周波数特性を有し、また負荷変調ＯＦＦとして検出するインピーダンスは曲線Ｂのような周波数特性を有するとき、図示したように曲線Ａと曲線Ｂが重なる部分が存在し、検出する負荷変調がＯＮのときもＯＦＦのときも同じインピーダンスになるヌル点Ｎ１が存在する。ここでヌル点Ｎ１は、キャリア波の周波数とは異なっていることからデータ通信は可能である。しかし、非接触型ＩＣカードとリーダ・ライタとを接近させると、前述のように金属部材などの影響によってリーダ・ライタのアンテナコイルのインピーダンス周波数特性が変化し、例えば負荷変調でＯＮを表すインピーダンス周波数特性は曲線Ｃのようになり、また負荷変調でＯＦＦを表すインピーダンス周波数特性は曲線Ｄのようになる。曲線Ｃと曲線Ｄでは、キャリア波の周波数においてＯＮレベルを示すインピーダンスとＯＦＦレベルを示すレベルが同じ値になるヌル点Ｎ２が生じ、通信不可領域が発生する。
【００１７】
図４は、実施の形態１による携帯端末装置の非接触ＩＣカード機能の通信動作を示す説明図である。この図は、図３と同様に縦軸がインピーダンス、横軸が周波数を示し、携帯端末装置１の非接触型ＩＣカード機能による負荷変調を検出するときのリーダ・ライタのアンテナコイルのインピーダンス周波数特性を示したものである。なお、図４は、後述する説明を分かり易くするため理想的な特性曲線を例示したもので、実際のものとは異なる。図中、曲線Ｅは負荷変調ＯＮのインピーダンス周波数特性を示し、曲線Ｆは負荷変調ＯＦＦのインピーダンス周波数特性を示す。図示されない非接触型ＩＣカード機能で動作する回路ならびに非接触型ＩＣカード機能用アンテナ１０は、図４に示すキャリア周波数において共振してリーダ・ライタとのデータ通信を行い、共振コイル７，８が構成している共振回路は上記のキャリア周波数と異なる周波数で共振する。
【００１８】
図１に示したように携帯端末装置１の筐体に共振コイル７あるいは共振コイル８、即ち独立した非励振の共振回路を適切に備えると、当該携帯端末装置１とリーダ・ライタとが前述のような非接触型ＩＣカード機能による通信を行うとき、リーダ・ライタのアンテナコイルのインピーダンス周波数特性が曲線Ｅ，Ｆのようになってヌル点が発生しなくなる。即ち、曲線Ｅ，Ｆのようなインピーダンス周波数特性を有するようになると、携帯端末装置１の非接触型ＩＣカード機能用アンテナ１０とリーダ・ライタのアンテナコイルが接近したときでも、また、携帯端末装置１の金属部材などが接近してリーダ・ライタのアンテナコイルのインピーダンス周波数特性が変化したときでも通信不可領域の発生を抑制することができる。
【００１９】
図４に示したように、リーダ・ライタのアンテナコイルのインピーダンス周波数特性からヌル点が消滅するように、共振コイル７，８のインダクタンスならびにコンデンサの容量を設定し、即ち共振コイル７，８を有する共振回路の共振周波数を設定する。この無給電の共振回路の共振周波数もしくは共振特性は、リーダ・ライタのインピーダンス周波数特性、及び、携帯端末装置１が有する金属部材の構成や非接触型ＩＣカード機能用アンテナ１０の特性ならびに配置構成に応じて、図４に示したようにヌル点の発生しない値に設定する。このとき、図４に示したように上記の共振特性が影響してキャリア周波数以外の周波数でインピーダンスの増大が生じることに配慮しながら、キャリア周波数においてリーダ・ライタのアンテナコイルのインピーダンスがピークになり、また、同一周波数においてＯＮを表すインピーダンスとＯＦＦを表すインピーダンスが同様な値にならないように、共振コイル７，８の配置ならびに共振回路の共振周波数を定める。上記の共振周波数もしくは共振特性は、少なくとも非接触型ＩＣカード機能で通信に使用するキャリア周波数において、様々な要因によってリーダ・ライタのアンテナコイルのインピーダンス周波数特性が変化しても前述のＯＮを示すインピーダンスとＯＦＦを示すインピーダンスが判別できるように設定する。
【００２０】
なお、共振回路を構成する共振コイルは、携帯端末装置１とリーダ・ライタとの通信を妨げるように作用することもあるため、非接触型ＩＣカード機能による通信においてリーダ・ライタと充分な距離でデータ通信を行うことができるように、図１に示した共振コイル７と共振コイル８のうち、いずれか一方の共振回路ならびに共振コイルを備えて携帯端末装置１を構成する。上記の非接触型ＩＣカード機能による通信距離が充分確保することができるならば、共振コイル７，８を共に備えてもよい。
【００２１】
以上のように実施の形態１によれば、非接触型ＩＣカード機能を有する携帯端末装置１に非接触型ＩＣカード用のリーダ・ライタに備えられたアンテナコイルのインピーダンスを変化させる共振回路を成す共振コイル７，８を備えたので、簡易な構成で通信不可領域の発生を抑制して非接触型ＩＣカード機能による処理動作の信頼性を向上させることができるという効果がある。
また、通信不可領域の発生を抑制することにより、非接触型ＩＣカード機能用アンテナ１０を備えている電池部９をリーダ・ライタへ向けていないときでも非接触型ＩＣカード機能の通信を行うことができるという効果がある。
【００２２】
実施の形態２．
図５は、この発明の実施の形態２による携帯端末装置の構成を示す説明図である。この図は、非接触型ＩＣカード機能を有する折り畳み式の携帯端末装置２０の概略外観を示す斜視図で、図５には示されない後述するＬＣＤ部２７を有する上側筐体２１と図示されない操作ボタン部を有する下側筐体２２とを重ね合わせるようにヒンジ部２０ａを回動させて折り畳んだ状態を示している。上側筐体２１は、前述のＬＣＤ部２７の表示画面の背面側となる筐体上端面２１ａに表示画面を露出させているサブＬＣＤ部２３を備えている。また、サブＬＣＤ部２３の周囲を巻回するように、上側筐体２１の内部に図示されない非励振の共振回路を成す共振コイル２４が配置／固定されている。下側筐体２２は、バッテリ等が搭載される電池部２２ａの側、即ち下側筐体２２の内部において底面の近傍に非接触型ＩＣカード機能用アンテナ２５を配置／固定している。この非接触型ＩＣカード機能用アンテナ２５は、実施の形態１で説明した非接触型ＩＣカード機能用アンテナ１０と同様なものである。なお、携帯端末装置２０は、ここでは図示ならびに説明を省略する通話機能、画像の撮影／表示機能、電子メールの作成／送受信機能などに用いる各構成要素を備えている。
【００２３】
図６は、実施の形態２による携帯端末装置の概略構成を示す説明図である。図５に示したものと同一部分に同じ符号を使用し、その説明を省略する。この図は、図５に示した携帯端末装置２０を側方視したときの共振コイル２４と非接触型ＩＣカード機能用アンテナ２５の配置を表したもので、各筐体内部に配置されている要部を破線で表している。
折り畳み式の携帯端末装置２０は、実施の形態１で説明した携帯端末装置１と同様に、下側筐体２２の電池部２２ａの外面、即ち携帯端末装置２０の底面に沿って例えば巻回されたように配置されている非接触型ＩＣカード機能用アンテナ２５を、当該下側筐体２２の内部に備えている。非接触型ＩＣカード機能用アンテナ２５は、図示されない非接触型ＩＣカード機能の処理動作を行う回路へ接続されている。また、上側筐体２１の内部には、ＬＣＤ基板２６に接続固定されているＬＣＤ部２７が備えられている。ＬＣＤ部２７は、自らの表示画面を図中下側筐体２２へ向けて、即ちヒンジ部２０ａを回動させて携帯端末装置２０を開け広げたとき、ユーザ側へ表示画面が向くように設置固定されており、この表示画面の背面側にＬＣＤ基板２６が接続固定されている。
【００２４】
ＬＣＤ基板２６の背面、即ちＬＣＤ部２７と接続固定されている基板面の裏面には前述のサブＬＣＤ部２３が接続固定されている。共振コイル２４は、例えばＬＣＤ基板２６の、サブＬＣＤ部２３が固定されている側の基板面上に巻回固定され、あるいは基板上にコイルパターンを形成させて、前述のようにサブＬＣＤ部２３表示画面の外周を巻回するように備えられている。なお、共振コイル２４の構成は上記説明のものに限定されない。また、共振コイル２４は、前述のように共振回路を構成しているもので、例えば実施の形態１で説明した共振コイル７，８と同様に図示されないコンデンサと並列接続して無給電で作用する非励振の共振回路を構成している。即ち、この共振回路は、実施の形態１で説明した共振回路と同様に、非接触型ＩＣカード機能に用いる回路等から電気的に独立して構成されており、共振周波数も実施の形態１で説明したものと同様に、リーダ・ライタのアンテナコイルのインピーダンス周波数特性からヌル点が消失するように、もしくは非接触型ＩＣカード機能によるデータ通信においてＯＮレベルを示すインピーダンスとＯＦＦレベルを示すインピーダンスの判別が可能なように、上記のインピーダンス周波数特性に影響を与えるように設定されている。
【００２５】
一般に折り畳み式の携帯端末装置２０の非接触型ＩＣカード機能を使用するときには、図６に示したように上側筐体２１と下側筐体２２が重ね合わせられた状態で使用される。このように携帯端末装置２０が折り畳まれた状態で、電池部２２ａの近傍に配置されている非接触型ＩＣカード機能用アンテナ２５から充分離れた位置、例えば筐体上端面２１ａの近傍に共振コイル２４が配置／固定されている。なお、非接触型ＩＣカード機能用アンテナ２５と共振コイル２４は、実施の形態１で説明したものと同様に干渉が生じない距離をおいて配置する。
【００２６】
次に動作について説明する。
実施の形態１で説明した携帯端末装置１と同様な動作及び作用効果について重複説明を省略する。折り畳み式の携帯端末装置２０は、前述のように非接触型ＩＣカード機能を使用するときには、上側筐体２１と下側筐体２２とを重ね合わせた状態で処理動作が行なわれ、非接触型ＩＣカード機能用アンテナ２５を備えた当該携帯端末装置２０の電池部２２ａ、即ち携帯端末装置２０の底面をリーダ・ライタへ向けて通信を行わせる。このときリーダ・ライタとの間で行われる通信動作は、実施の形態１で説明したものと同様である。携帯端末装置２０のように上側筐体２１に共振コイル２４を備えることにより、特に携帯端末装置２０の電池部２２ａ、即ち、非接触型ＩＣカード機能用アンテナ２５を備えた通信面をリーダ・ライタへ向けていないときでも、実施の形態１で説明したものと同様に共振回路を成す共振コイル２４がリーダ・ライタのアンテナコイルのインピーダンス周波数特性に影響を与え、携帯端末装置２０とリーダ・ライタの間、即ち携帯端末装置２０の筐体上面２１ａの前方ならびにその周辺における通信不可領域の発生を抑えて非接触型ＩＣカード機能の通信を行う。
【００２７】
以上のように実施の形態２によれば、折り畳み式の携帯端末装置２０の上側筐体２１に備えられ外部へ表示画面を向けているサブＬＣＤ部２３の周囲に、リーダ・ライタに備えられているアンテナコイルのインピーダンス周波数特性を変化させる共振コイル２４を備えたので、簡易な構成で通信不可領域の発生を抑制して折り畳み式の携帯端末装置２０の非接触型ＩＣカード機能による動作処理の信頼性を向上させることができるという効果がある。
また、通信不可領域の発生を抑制することにより、非接触型ＩＣカード機能用アンテナ２５を備えている電池部２２ａをリーダ・ライタへ向けていないときでも非接触型ＩＣカード機能の通信を行うことができるという効果がある。
【００２８】
実施の形態３．
図７は、この発明の実施の形態３による携帯端末装置の構成を示す説明図である。図１等に示したものと同一部分に同じ符号を使用し、その説明を省略する。図７に示した携帯端末装置１ａは、実施の形態１で説明したスライド式の携帯端末装置１の下側筐体３に共振コイル３０を備えたもので、他の部分は実施の形態１で説明したものと概ね同様に構成されている。ここでは、実施の形態１で説明した携帯端末装置１と同様に構成される部分の重複説明を省略する。なお、ここで例示する携帯端末装置１ａは、非接触型ＩＣカード機能による通信距離を確保するため、実施の形態１で説明した共振コイル７，８ならびに当該共振コイルによって構成されている共振回路を備えていない。
【００２９】
前述のように下側筐体３は、バッテリ等が搭載されている電池部９の周囲、即ち下側筐体３の底面の近傍に図示を省略したバッテリ等の外周を取り巻くように巻回している非接触型ＩＣカード機能用アンテナ１０を筐体内部に配置固定している。携帯端末装置１ａの下側筐体３は、上記の非接触型ＩＣカード機能用アンテナ１０と概ね同一平面上に、換言すると下側筐体３の内部において当該筐体の底面近傍に共振コイル３０を配置／固定している。
【００３０】
共振コイル３０は、前述の実施の形態１で説明した共振コイル７，８、また実施の形態２で説明した共振コイル２４のように、例えば図示されないコンデンサと接続して無給電で作用する非励振の共振回路を構成し、実施の形態１及び実施の形態２で説明した共振回路と同様に、非接触型ＩＣカード機能に使用する図示されない回路から独立して構成されており、電気的に接続されていない。この回路の共振特性は、前述の各共振回路と同様にリーダ・ライタのアンテナコイルのインピーダンス周波数特性に影響を及ぼし、当該特性からヌル点を消失させる、もしくは非接触型ＩＣカード機能によるデータ通信においてＯＮレベルを示すインピーダンスとＯＦＦレベルを示すインピーダンスの判別が可能なように、上記のインピーダンス周波数特性に影響を与えるものである。換言すると、リーダ・ライタのアンテナコイルの上記の特性からヌル点を排除する共振特性を有するように当該共振回路を構成し、また共振コイル３０を構成／配置する。またさらに、共振コイル３０を配置するときには、実施の形態１で説明したように、非接触型ＩＣカード機能として要求される通信距離でリーダ・ライタとのデータ通信が行えるように配置／構成する。なお、図７に例示したように筐体底面と平行に巻回しているように当該共振コイル３０を向ける配置に限定されるものではない。
【００３１】
次に動作について説明する。
携帯端末装置１ａは、実施の形態１で説明した携帯端末装置１と概ね同様に動作する。ここでは実施の形態１で説明した動作の重複説明を省略する。携帯端末装置１ａは、前述のように作用する共振回路ならびに共振コイル３０を備えて、携帯端末装置１ａの底面の前方ならびにその周辺、即ち下側筐体３の通信面とリーダ・ライタとの間において通信不可領域の発生を抑制する。
なお、上記のリーダ・ライタとの通信距離を確保することができることを必須条件として、実施の形態１で説明したように上側筐体２へ共振コイル７，８ならびに共振回路を備えてもよい。
【００３２】
また、非接触型ＩＣカード機能用アンテナを備えた筐体の底面に沿って備える共振コイル３０は、スライド式の携帯端末装置１ａに限定されず、たとえば実施の形態２で説明した折り畳み式の携帯端末装置２０の下側筐体２２などの非接触型ＩＣカード機能用アンテナが備えられている底面近傍へ同様に配置してもよい。
【００３３】
以上のように実施の形態３によれば、スライド式の携帯端末装置１ａの下側筐体３の底面近傍に非接触型ＩＣカード機能用アンテナ１０と共に当該筐体の底面に沿って共振コイル３０を配置／固定してリーダ・ライタに備えられているアンテナコイルのインピーダンス周波数特性に影響を与えるようにしたので、簡易な構成で携帯端末装置１ａの上記底面の前方、さらにその周辺において通信不可領域の発生を抑制して非接触型ＩＣカード機能による通信処理の信頼性を向上させることができるという効果がある。
【図面の簡単な説明】
【００３４】
【図１】この発明の実施の形態１による携帯端末装置の外観を示す説明図である。
【図２】実施の形態１による携帯端末装置に備えられている共振回路を成す共振コイルの構成を示す説明図である。
【図３】非接触型ＩＣカードとリーダ・ライタとの通信動作を示す説明図である。
【図４】実施の形態１による携帯端末装置の非接触ＩＣカード機能の通信動作を示す説明図である。
【図５】この発明の実施の形態２による携帯端末装置の構成を示す説明図である。
【図６】実施の形態２による携帯端末装置の概略構成を示す説明図である。
【図７】この発明の実施の形態３による携帯端末装置の構成を示す説明図である。
【符号の説明】
【００３５】
１，１ａ，２０  携帯端末装置、２，２１  上側筐体、３，２２  下側筐体、４，２７  ＬＣＤ部、５，６  操作ボタン部、６ａ  押しボタン、７，８，２４，３０  共振コイル、８ａ  コイルパターン、８ｂ  コンデンサ、９，２２ａ  電池部、１０，２５  非接触型ＩＣカード機能用アンテナ、１１  キー基板、２０ａ  ヒンジ部、２１ａ  筐体上端面、２３  サブＬＣＤ部、２６  ＬＣＤ基板。
【図１】
2008022469.tif 000003
【図２】
2008022469.tif 000004
【図３】
2008022469.tif 000005
【図４】
2008022469.tif 000006
【図５】
2008022469.tif 000007
【図６】
2008022469.tif 000008
【図７】
2008022469.tif 000009